(57)【要約】【課題】より簡単かつ正確に、所望の治療部位にパッドを貼り付けることを可能とするパッドの貼り付け補助具及び貼り付け補助具へのパッドとコードの取り付け構造を提供する。【解決手段】可撓性を有する湾曲した板状部材により構成されており、スナップによりコード４００に接続された状態にあるパッド３００を治療部位に貼り付ける際に用いられるパッドの貼り付け補助具１０であって、パッド３００のうち治療部位に貼り付ける側の粘着面とは反対側の面を支持する支持部１１と、支持部１１にパッド３００が支持された状態でパッド３００とコード４００を接続可能な状態とするべく、板状部材の一方の面と他方の面とを連通する切欠１２と、を備え、切欠１２の周囲の板状部分が、パッド３００とコード４００との接続部付近に嵌合された状態となることによって、パッド３００及びコード４００を保持することを特徴とする。【選択図】図６
2008012190.tif 000002
【特許請求の範囲】
【請求項１】
板状部材により構成されており、スナップによりコードに接続された状態にあるパッドを治療部位に貼り付ける際に用いられるパッドの貼り付け補助具であって、
パッドのうち治療部位に貼り付ける側の粘着面とは反対側の面を支持する支持部と、
該支持部にパッドが支持された状態でパッドとコードを接続可能な状態とするべく、前記板状部材の一方の面と他方の面とを連通する切欠または孔により構成される連通部と、を備え、
前記連通部の周囲の板状部分が、パッドとコードとの接続部付近に形成された嵌合部に嵌合された状態となることによって、該パッド及びコードを保持することを特徴とするパッドの貼り付け補助具。
【請求項２】
前記板状部材は、可撓性を有し、かつ湾曲していることを特徴とする請求項１に記載のパッドの貼り付け補助具。
【請求項３】
前記支持部から離れた位置に、パッドを治療部位に貼り付ける際に治療者自身が手で握る把持部が設けられていることを特徴とする請求項１または２に記載のパッドの貼り付け補助具。
【請求項４】
貼り付け補助具自体を治療者の胴体に挟み込むようにして装着できるように、前記板状部材がＵ字状に湾曲していることを特徴とする請求項２に記載のパッドの貼り付け補助具。
【請求項５】
前記板状部材に前記コードを位置決めする位置決め孔または位置決め溝が形成されていることを特徴とする請求項１〜４のいずれか一つに記載のパッドの貼り付け補助具。
【請求項６】
パッドの粘着面が貼り付けられることで、該粘着面を保護する保護部が設けられていることを特徴とする請求項１〜５のいずれか一つに記載のパッドの貼り付け補助具。
【請求項７】
前記板状部材の幅方向の両側壁部のそれぞれに、前記コードを巻き付けておくための凹部が設けられていることを特徴とする請求項１〜６のいずれか一つに記載のパッドの貼り付け補助具。
【請求項８】
前記板状部材に、パッドのうち前記コードとの接続部から距離が長い側の端部が差し込まれることで、該パッドを前記支持部に位置決めさせる貫通孔が設けられていることを特徴とする請求項１〜７のいずれか一つに記載のパッドの貼り付け補助具。
【請求項９】
スナップによりコードに接続された状態にあるパッドを治療部位に貼り付ける際に用いられるパッドの貼り付け補助具に対して、パッドとコードを取り付ける、貼り付け補助具へのパッドとコードの取り付け構造であって、
前記貼り付け補助具は、一方の面と他方の面とを連通する切欠または孔により構成される連通部を有する板状部材により構成されると共に、
スナップにより接続されたパッドとコードとの接続部付近が、前記板状部材の連通部の周囲の板状部分に嵌合する嵌合部を形成することにより、貼り付け補助具にパッドとコードが取り付けられることを特徴とする貼り付け補助具へのパッドとコードの取り付け構造。
【発明の詳細な説明】
【技術分野】
【０００１】
本発明は、パッドの貼り付け補助具及び貼り付け補助具へのパッドとコードの取り付け構造に関するものである。
【背景技術】
【０００２】
従来、内部に電極を有するパッドを治療部位に貼り付けて低周波治療を行う低周波治療器が知られている。このような低周波治療器におけるパッドは、一般的に消耗部品であり、簡単に交換できるように、治療器本体に接続されたコードに対して着脱自在に構成される。そして、パッドにおけるコードと接続される側とは反対側の面は、治療部位に貼り付けることができるように、粘着性を有している。また、一般的に、使用前の新品のパッドは、粘着面に保護用のシートが貼り付けられている。この保護用のシートは、最初にパッドを使用する際に剥がして捨ててしまい、シートが剥がされたパッドは、専用のパッドホルダーに保管しておくのが一般的である。
【０００３】
上記のように構成される低周波治療器により低周波治療を行う場合、従来、パッドとコードとの接続部付近を手指で持ちながら、パッドの粘着面を所望の治療部位に貼り付けている。しかしながら、治療を受ける治療者自身がパッドを治療部位に貼り付ける場合、背中など手が届きにくいような位置を治療したい場合に、パッドを所望の位置にうまく貼り付けることができないことがある。また、パッドは、身体の様々な箇所に貼り付けることができるように、種々の形状に対応するべく、薄くかつ非常に柔軟性が高くなっているのが一般的である。そのため、手指でパッドを持っている状態では、パッドの形状は非常に不安定であり、特にお年寄りなど手先があまり器用でない人の場合には、所望の箇所に適切に貼り付けるのは難しい場合がある。また、服を着たまま襟の辺りからパッドを差し込んで、肩や背中にパッドを貼り付けるような場合には、パッドの形状が不安定であることから、パッドを肩や背中にもっていく際にパッドの粘着面が服に貼り付いてしまうことがある。そのため、パッドの粘着面が繊維によって汚れてしまうばかりでなく、服を汚してしまうこともある。更に、パッドが折れ曲がって粘着面同士が貼り付いてしまうこともある。
【０００４】
このように、治療を受ける治療者自身がパッドを治療部位に貼り付ける場合に、パッドを所望の位置に貼り付けるのが難しく、貼り付け作業が非常に煩わしいという問題がある。
【０００５】
なお、関連する技術としては、特許文献１〜４に開示されたものがある。
【特許文献１】実用新案登録番号第２５４１０２９号公報
【特許文献２】特開平１０−１９２４１６号公報
【特許文献３】特開２０００−３０８６２１号公報
【特許文献４】特開２００４−３３７８９号公報
【発明の開示】
【発明が解決しようとする課題】
【０００６】
本発明の目的は、より簡単かつ正確に、所望の治療部位にパッドを貼り付けることを可能とするパッドの貼り付け補助具及び貼り付け補助具へのパッドとコードの取り付け構造を提供することにある。
【課題を解決するための手段】
【０００７】
本発明は、上記課題を解決するために以下の手段を採用した。
【０００８】
すなわち、本発明のパッドの貼り付け補助具は、
板状部材により構成されており、スナップによりコードに接続された状態にあるパッドを治療部位に貼り付ける際に用いられるパッドの貼り付け補助具であって、
パッドのうち治療部位に貼り付ける側の粘着面とは反対側の面を支持する支持部と、
該支持部にパッドが支持された状態でパッドとコードを接続可能な状態とするべく、前記板状部材の一方の面と他方の面とを連通する切欠または孔により構成される連通部と、を備え、
前記連通部の周囲の板状部分が、パッドとコードとの接続部付近に形成された嵌合部に嵌合された状態となることによって、該パッド及びコードを保持することを特徴とする。
【０００９】
本発明によれば、パッドとコードを接続させた状態で、貼り付け補助具を用いて、パッドを所望の治療部位に貼り付けることができる。従って、手の届きにくい位置にもパッドを適切に貼り付けることができる。また、パッドの柔軟性が高く、パッドの形状が不安定な場合であっても、本発明の貼り付け補助具を用いれば、支持部によって、パッドの粘着面とは反対側が支持されるので、パッドを貼り付ける際にパッドの形状を安定させることができる。これにより、パッドを所望の位置により適切に貼り付けることができる。これに伴い、パッドの粘着面が服に貼り付いてしまったり、パッドが折れ曲がって粘着面同士が貼り付いてしまったりすることを抑制できる。更に、パッドの粘着面に手指が触れてしまうことを抑制できるので、粘着面が汚れてしまったり、手指に粘着物が付着してしまったりする頻度を少なくすることができる。
【００１０】
前記板状部材は、可撓性を有し、かつ湾曲しているとよい。
【００１１】
これにより、身体の様々な位置に、パッドを容易に貼り付けることができる。
【００１２】
前記支持部から離れた位置に、パッドを治療部位に貼り付ける際に治療者自身が手で握る把持部が設けられているとよい。
【００１３】
これにより、手の届かない位置にも、パッドを貼り付けることができる。
【００１４】
貼り付け補助具自体を治療者の胴体に挟み込むようにして装着できるように、前記板状部材がＵ字状に湾曲しているとよい。
【００１５】
このようにすれば、貼り付け補助具を胴体に装着できるため、治療中に、貼り付け補助具から手を離しても、貼り付け補助具の位置がずれてしまうことをより確実に防止できる。
【００１６】
前記板状部材に前記コードを位置決めする位置決め孔または位置決め溝が形成されているとよい。
【００１７】
これにより、貼り付け作業中や治療中にコードが邪魔になることを抑制できる。
【００１８】
パッドの粘着面が貼り付けられることで、該粘着面を保護する保護部が設けられているとよい。
【００１９】
これにより、貼り付け補助具がパッドを保管しておくためのパッドホルダーとしても機能するため、別途専用のパッドホルダーが不要となる。また、治療時に用いる貼り付け補助具に、治療後にパッドを貼り付けて保管させることで、専用のパッドホルダーにパッド
を貼り付けて保管する場合に比べて、治療後におけるパッドの貼り忘れを抑制することもできる。
【００２０】
前記板状部材の幅方向の両側壁部のそれぞれに、前記コードを巻き付けておくための凹部が設けられているとよい。
【００２１】
これにより、コードにパッドが接続されたままの状態で、パッドとコードを一緒にして、貼り付け補助具に保管しておくことができる。また、板状部材の幅方向の両側壁部のそれぞれに設けられた凹部にコードを巻き付けることで、コードの巻き付け作業を簡単に行うことができる。また、保管時にコードを保護できることにもなる。
【００２２】
前記板状部材に、パッドのうち前記コードとの接続部から距離が長い側の端部が差し込まれることで、該パッドを前記支持部に位置決めさせる貫通孔が設けられているとよい。
【００２３】
このようにすれば、簡易な構成で、パッドを支持部に支持させた際に、パッドの形状を安定化させることができる。
【００２４】
また、本発明の貼り付け補助具へのパッドとコードの取り付け構造は、
スナップによりコードに接続された状態にあるパッドを治療部位に貼り付ける際に用いられるパッドの貼り付け補助具に対して、パッドとコードを取り付ける、貼り付け補助具へのパッドとコードの取り付け構造であって、
前記貼り付け補助具は、一方の面と他方の面とを連通する切欠または孔により構成される連通部を有する板状部材により構成されると共に、
スナップにより接続されたパッドとコードとの接続部付近が、前記板状部材の連通部の周囲の板状部分に嵌合する嵌合部を形成することにより、貼り付け補助具にパッドとコードを取り付けられることを特徴とする。
【００２５】
なお、上記各構成は、可能な限り組み合わせて採用し得る。
【発明の効果】
【００２６】
以上説明したように、本発明によれば、より簡単かつ正確に、所望の治療部位にパッドを貼り付けることができる。
【発明を実施するための最良の形態】
【００２７】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２８】
（実施例１）
図１〜図１４を参照して、本発明の実施例１に係るパッドの貼り付け補助具及び貼り付け補助具へのパッドとコードの取り付け構造について説明する。なお、本発明の実施例１に係るパッドの貼り付け補助具及び貼り付け補助具へのパッドとコードの取り付け構造は、低周波治療器に適用されるものである。
【００２９】
＜低周波治療器＞
図１を参照して、本発明の実施例１に係る低周波治療器について説明する。図１は本発明の実施例１に係る低周波治療器の外観を示す斜視図である。
【００３０】
低周波治療器１００は、概略、治療器本体２００と、治療部位に貼り付けるための一対
のパッド３００と、治療器本体２００とパッド３００とを電気的に接続するためのコード４００とから構成される。
【００３１】
治療器本体２００は、電源や各種の設定等を行うために設けられた複数のボタン２０１や、設定内容や治療時間を表示するための表示部２０２を備えている。治療器本体自体に関しては、公知技術を含めた各種の技術を適用すればよいので、詳細説明は省略する。
【００３２】
パッド３００は、薄くかつ柔軟性の高い部材により構成されており、一方の面は、ゲル状の材料によって構成され、粘着性を有している。このパッド３００についても、コード４００との接続部分の構造を除いて、公知技術を含めた各種の技術を適用すればよいので、詳細説明は省略する。なお、接続部分の構造の詳細については後述する。
【００３３】
コード４００は、一端に治療器本体２００に接続するためのプラグ４０１が設けられており、他端にパッド３００に接続するための凹型スナップ４０２（４０３）が設けられている。
【００３４】
＜パッドの貼り付け補助具＞
図２及び図３を参照して、本発明の実施例１に係るパッドの貼り付け補助具について説明する。図２は本発明の実施例１に係るパッドの貼り付け補助具の平面図である。図３は本発明の実施例１に係るパッドの貼り付け補助具の斜視図である。
【００３５】
本実施例に係る貼り付け補助具１０は、可撓性を有する湾曲した板状部材により構成されている。また、この貼り付け補助具１０は、可撓性を有しつつも、安定した形状を保つように、少なくともパッド３００よりも剛性の高い材料（例えば樹脂）により構成されている。
【００３６】
そして、貼り付け補助具１０は、パッド３００の粘着面とは反対側の面を支持する支持部１１と、板状部材である貼り付け補助具１０の一方の面（支持部１１が設けられている面）と他方の面とを連通する連通部としての切欠１２と、パッド３００を治療部位に貼り付ける際に治療者自身が手で握るための把持部１３と、パッド貼り付け時などにコード４００を位置決めするための位置決め孔１４と、パッド３００が貼り付けられることにより、パッド３００の粘着面を保護する保護部１５と、コード４００を巻き付けるための一対の凹部１６とを備えている。
【００３７】
＜貼り付け補助具へのパッドとコードの取り付け構造＞
特に、図４〜図９を参照して、本発明の実施例１に係る貼り付け補助具へのパッドとコードの取り付け構造について説明する。図４においては、パッドにコードが接続された状態を示しており、図５〜図９においては、貼り付け補助具に対してパッドとコードが取り付けられた状態を示している。より具体的には、以下の通りである。図４はパッドにコードが接続された様子を示す斜視図である。図５は本発明の実施例１に係る貼り付け補助具にパッドとコードが取り付けられた様子を示す平面図である。図６は本発明の実施例１に係る貼り付け補助具にパッドとコードが取り付けられた様子を示す上方側から見た斜視図である。図７は本発明の実施例１に係る貼り付け補助具にパッドとコードが取り付けられた様子を示す下方側から見た斜視図である。図８は本発明の実施例１に係る貼り付け補助具にパッドとコードが取り付けられた様子（具体例１）を示す模式的断面図である。図９は本発明の実施例１に係る貼り付け補助具にパッドとコードが取り付けられた様子（具体例２）を示す模式的断面図である。
【００３８】
本実施例においては、パッド３００はコード４００に対してスナップにより着脱自在に構成されている。また、本実施例においては、パッド３００に凸型スナップ３０１（３０
２）が設けられ、コード４００には凹型スナップ４０２（４０３）が設けられている。更に、本実施例では、パッド３００に３つの凸型スナップが設けられている。そして、これら３つの凸型スナップのうち、一つのみにコード４００が接続され、残りの凸型スナップには、貼り付け補助具１０に対してパッド３００を取り付けることのみを目的とした凹型スナップ５０１，５０２が留められるように構成されている。なお、コード４００に設けられている凹型スナップ４０２（４０３）と、凹型スナップ５０１，５０２とは、前者においては電気的接続機能を有するのに対して後者においては当該機能がない点では異なるものの、機械的な留め具としての構造及び機能は同一である。
【００３９】
本実施例においては、切欠１２を設けたことによって、パッド３００における粘着面とは反対側の面が貼り付け補助具１０の支持部１１に支持された状態で、切欠１２の部分を介してパッド３００とコード４００が接続可能な状態となる。
【００４０】
また、本実施例においては、スナップにより接続されたパッド３００とコード４００との接続部付近が、切欠１２の周囲の板状部分に嵌合する嵌合部を形成する。そして、この嵌合部が切欠１２の周囲の板状部分に嵌合することによって、パッド３００とコード４００は貼り付け補助具１０に保持される。パッド３００とコード４００との接続部付近が嵌合部を形成する構造については、特に限定されるものではなく、各種の構造を採用し得る。ここでは、好適な２例を、図８と図９をそれぞれ参照して説明する。
【００４１】
図８に示す例においては、コード４００に設けられた凹型スナップ４０２が特徴的な構造となっている。すなわち、この例においては、パッド３００には単純な凸型スナップ３０１が設けられている。一方、コード４００に設けられた凹型スナップ４０２は、小径部４０２ａと大径部４０２ｂを有する段差を備えた円筒構造となっている。
【００４２】
このような構成により、凹型スナップ４０２を凸型スナップ３０１に留めると、凹型スナップ４０２の大径部４０２ｂとパッド３００との対向面と、小径部４０２ａの外周面との間で、切欠１２の周囲の板状部分を挟み込むような嵌合部が形成される。この嵌合部が、切欠１２の周囲の板状部分に嵌合することで、パッド３００とコード４００は、貼り付け補助具１０に保持される。
【００４３】
図９に示す例においては、パッド３００に設けられた凸型スナップ３０２が特徴的な構造となっている。すなわち、この例においては、コード４００には、板状のものに穴が形成された単純な凹型スナップ４０３が設けられている。一方、パッド３００に設けられた凸型スナップ３０２は、パッド３００の表面よりも一定距離だけ突出した円筒部３０２ａを有し、かつ、その先端に凹型スナップ４０３の穴に嵌合する略球形の突出部３０２ｂが設けられた構造となっている。
【００４４】
このような構成により、凹型スナップ４０３を凸型スナップ３０２に留めると、凹型スナップ４０３とパッド３００側の対向面と、凸型スナップ３０２の円筒部３０２ａとの間で、切欠１２の周囲の板状部分を挟み込むような嵌合部が形成される。この嵌合部が、切欠１２の周囲の板状部分に嵌合することで、パッド３００とコード４００は、貼り付け補助具１０に保持される。
【００４５】
なお、これまでの説明においては、コード４００に設けられた凹型スナップ４０２（４０３）とパッドに設けられた凸型スナップ３０１（３０２）との関係についてのみ説明したが、凹型スナップ５０１，５０２とパッドに設けられた凸型スナップ３０１（３０２）との関係についても同様であることは言うまでもない。
【００４６】
＜貼り付け補助具の使用方法＞
図１０〜図１２を参照して、本実施例に係る貼り付け補助具１０の使用方法を説明する。図１０は本発明の実施例１に係る貼り付け補助具にパッドとコードを取り付ける様子を示す斜視図である。図１１は本発明の実施例１に係る貼り付け補助具を用いてパッドを治療部位に貼り付ける様子を示す斜視図である。図１２は本発明の実施例１に係る貼り付け補助具を用いてパッドを治療部位に貼り付けた後に貼り付け補助具をパッドから引き抜く様子を示す斜視図である。
【００４７】
本実施例に係る貼り付け補助具１０を使用する場合には、まず、図１０に示すように、パッド３００の粘着面とは反対側の面を貼り付け補助具１０の支持部１１に押し当てるように、貼り付け補助具１０とパッド３００を手指で挟む。このとき、パッド３００に設けられた凸型スナップ３０１を、貼り付け補助具１０の切欠１２から露出させる。そして、パッド３００に設けられた３箇所の凸型スナップ３０１に、コード４００に設けられた凹型スナップ４０２（４０３）、及び凹型スナップ５０１，５０２をそれぞれ留める。このようにして、上記の通り、貼り付け補助具１０にパッド３００とコード４００が保持される。
【００４８】
パッド３００が未使用の新品のものである場合には、パッド３００の粘着面を保護する不図示の保護シート（フィルム状のもの）が貼り付けられているので、この保護シートを剥がす。
【００４９】
そして、図１１に示すように、貼り付け補助具１０の把持部１３を握って、パッド３００の粘着面を所望の治療部位に押し当てる。これにより、パッド３００が所望の治療部位に貼り付けられる。
【００５０】
ここで、コード４００が邪魔になるような場合には、コード４００を位置決め孔１４に嵌め込んでおくことにより、コード４００を位置決めすることができる。なお、本実施例では、位置決め孔１４は、長孔により構成されると共に、長孔の両端付近にそれぞれ一対の凸部１４ａ，１４ｂが設けられている（例えば図２参照）。これら一対の凸部１４ａ，１４ｂ間の距離は、コード４００の径と同じか僅かに狭くなっている。従って、コード４００をこれら一対の凸部１４ａ，１４ｂの間から押し込むことによって、コード４００を位置決め孔１４に対して確実に位置決めさせることができる。ただし、コード４００を位置決めさせるための構造としては、これに限られず、凸部が設けられていない単純な長孔や溝により構成することもでき、これらの場合でも、ある程度コード４００を位置決めさせることができる。
【００５１】
次に、図１２に示すように、貼り付け補助具１０を、支持部１１を身体に沿わせるようにしながら引き抜く。これにより、パッド３００を治療部位に貼り付けたまま、貼り付け補助具１０を取り外すことができる。すなわち、本実施例では、上記の通り、スナップにより接続されたパッド３００とコード４００との接続部付近が、切欠１２の周囲の板状部分に嵌合する嵌合部を形成する。そのため、パッド３００とコード４００との接続部付近は、貼り付け補助具１０の幅方向への移動については規制される。しかしながら、切欠１２の伸びる方向、すなわち、貼り付け補助具１０の長手方向への移動は規制されない。従って、パッド３００とコード４００を接続させたまま、貼り付け補助具１０を引き抜くことができる。
【００５２】
その後、治療器本体２００を操作することによって、低周波治療を行う。ただし、貼り付け補助具１０を引き抜くことなく、図１１に示すように貼り付け補助具１０が付いた状態のままで、手で支えながら、または手を離して、低周波治療を行うこともできることは言うまでもない。その場合には、治療後において、貼り付け補助具１０にパッド３００とコード４００を取り付けたまま、治療部位からパッド３００を剥がすことができる。
【００５３】
なお、上記の説明では、パッド３００を貼り付け補助具１０の支持部１１に押し当てながら、コード４００に設けられた凹型スナップ４０２（４０３）、及び凹型スナップ５０１，５０２をそれぞれ留める場合を説明した。しかしながら、本実施例の場合には、パッド３００に、コード４００に設けられた凹型スナップ４０２（４０３）、及び凹型スナップ５０１，５０２をそれぞれ留めた状態で、各接続部分を切欠１２に沿わせるようにして、パッド３００とコード４００を貼り付け補助具１０に保持させることもできる。
【００５４】
＜パッドの保管＞
図１３及び図１４を参照して、本発明の実施例１に係るパッド３００の保管方法について説明する。図１３は本発明の実施例１に係るパッドの貼り付け補助具にパッドを保管する様子を示す平面図である。図１４は本発明の実施例１に係るパッドの貼り付け補助具にパッドを保管する様子を示す斜視図である。
【００５５】
低周波治療を終えたら、貼り付け補助具１０の保護部１５に、パッド３００を貼り付ける。このとき、各スナップは留めたままにしておくのが望ましい。そして、貼り付け補助具１０とパッド３００を重ねるように、かつ一対の凹部１６の部分を通るように、コード４００を巻き付ける。
【００５６】
＜本実施例の優れた点＞
本実施例に係る貼り付け補助具１０を用いることによって、パッド３００とコード４００を接続させた状態で、パッド３００を所望の治療部位に貼り付けることができる。従って、手の届きにくい位置にもパッド３００を適切に貼り付けることができる。また、パッド３００の柔軟性が高く、パッド３００の形状が不安定な場合であっても、貼り付け補助具１０の支持部１１によって、パッド３００の粘着面とは反対側が支持されるので、パッド３００を貼り付ける際にパッド３００の形状を安定させることができる。これにより、パッド３００を所望の位置により適切に貼り付けることができる。これに伴い、パッド３００の粘着面が服に貼り付いてしまったり、パッド３００が折れ曲がって粘着面同士が貼り付いてしまったりすることを抑制できる。
【００５７】
なお、本実施例では、パッド３００の形状を安定させるために、パッド３００の３箇所に凸型スナップ３０１を設けて、１箇所にはコード４００に設けられた凹型スナップ４０２（４０３）を留めて、他の２箇所には凹型スナップ５０１，５０２を留める場合の例を説明した。しかしながら、要は、パッド３００が貼り付け補助具１０の支持部１１に支持された状態において、パッド３００の形状を安定させることができれば良い。従って、１箇所のスナップのみでパッド３００の形状を安定させることができるのであれば、貼り付け補助具１０に対してパッド３００を取り付けることのみを目的とした凹型スナップ５０１，５０２は不要である。
【００５８】
また、本実施例においては、貼り付け補助具１０の一方の面と他方の面とを連通する連通部を切欠１２により構成したことで、パッド３００とコード４００を接続させたまま、貼り付け補助具１０を引き抜くことができる。従って、治療の際に、貼り付け補助具１０が邪魔になることを防止できる。
【００５９】
また、本実施例においては、貼り付け補助具１０において、一方の端部にパッド３００を支持する支持部１１を設け、他方の端部に把持部１３を設けるように構成している。そのため、手で握っている把持部１３から離れた位置にパッド３００が支持されるため、手の届かない位置にも、パッド３００を貼り付けることができる。
【００６０】
また、本実施例においては、位置決め孔１４にコード４００を位置決めさせることがで
きるので、パッド３００の貼り付け作業中や治療中において、コード４００が邪魔になることを抑制できる。
【００６１】
また、本実施例においては、貼り付け補助具１０に、パッド３００の粘着面を保護する保護部１５が設けられている。そのため、貼り付け補助具１０がパッド３００を保管しておくためのパッドホルダーとしても機能する。従って、別途専用のパッドホルダーが不要となる。また、治療時に用いる貼り付け補助具１０に、治療後にパッド３００を貼り付けて保管させることで、専用のパッドホルダーにパッド３００を貼り付けて保管する場合に比べて、治療後におけるパッド３００の貼り忘れを抑制することもできる。
【００６２】
また、本実施例においては、貼り付け補助具１０における幅方向の両側壁部のそれぞれに、コード４００を巻き付けておくための凹部１６が設けられている。そのため、コード４００にパッド３００が接続されたままの状態で、パッド３００とコード４００を一緒にして、貼り付け補助具１０に保管しておくことができる。また、凹部１６にコード４００を巻き付けるようにしたことで、コード４００の巻き付け作業を簡単に行うことができる。更に、本実施例では、図１３及び図１４に示すように、コード４００を巻き付けた際に、コード４００が凹部１６内に収まるように、凹部１６の凹み量を設定している。これにより、コード４００が何かに当たって損傷してしまうことを極力防止することもできる。
【００６３】
（実施例２）
図１５〜図２３には、本発明の実施例２が示されている。上記実施例１では、貼り付け補助具の一方の面と他方の面とを連通する連通部を切欠により構成する場合を示したが、本実施例では、連通部を孔により構成する場合を示す。その他の基本的な構成および作用については実施例１と同一なので、同一の構成部分については、適宜、その説明は省略する。また、貼り付け補助具の構成のみが実施例１と異なり、治療器本体とパッドについては、実施例１の場合と同一であるので、これらの説明は省略する。
【００６４】
＜パッドの貼り付け補助具＞
図１５〜図１７を参照して、本発明の実施例２に係るパッドの貼り付け補助具について説明する。図１５は本発明の実施例２に係るパッドの貼り付け補助具の平面図である。図１６は本発明の実施例２に係るパッドの貼り付け補助具の斜視図である。図１７は本発明の実施例２に係るパッドの貼り付け補助具の側面図である。
【００６５】
本実施例に係る貼り付け補助具２０は、可撓性を有する湾曲した板状部材により構成されている。また、この貼り付け補助具２０は、可撓性を有しつつも、安定した形状を保つように、少なくともパッド３００よりも剛性の高い材料（例えば樹脂）により構成されている。また、本実施例に係る貼り付け補助具２０は、貼り付け補助具２０自体を治療者の胴体に挟み込むようにして装着できるように、図１７に示すようにＵ字状に大きく湾曲した形状となっている。
【００６６】
そして、貼り付け補助具２０は、パッド３００の粘着面とは反対側の面を支持する支持部２１と、板状部材である貼り付け補助具２０の一方の面（支持部２１が設けられている面）と他方の面とを連通する連通部としての孔２２ａ，２２ｂ，２２ｃと、パッド３００を治療部位に貼り付ける際に治療者自身が手で握るための把持部２３と、パッド貼り付け時などにコード４００を位置決めするための位置決め孔２４と、パッド３００が貼り付けられることにより、パッド３００の粘着面を保護する保護部２５と、コード４００を巻き付けるための一対の凹部２６とを備えている。
【００６７】
＜貼り付け補助具へのパッドとコードの取り付け構造＞
特に、図１８〜図２０を参照して、本発明の実施例２に係る貼り付け補助具へのパッド
とコードの取り付け構造について説明する。図１８は本発明の実施例２に係る貼り付け補助具にパッドとコードが取り付けられた様子を示す平面図である。図１９は本発明の実施例２に係る貼り付け補助具にパッドとコードが取り付けられた様子を示す上方側から見た斜視図である。図２０は本発明の実施例２に係る貼り付け補助具にパッドとコードが取り付けられた様子を示す下方側から見た斜視図である。上記の通り、実施例１では連通部を切欠により構成したのに対して、本実施例では連通部を孔により構成した点のみが異なっているので、異なっている点を中心に説明する。
【００６８】
本実施例においては、孔２２ａ，２２ｂ，２２ｃを設けたことによって、パッド３００における粘着面とは反対側の面が貼り付け補助具２０の支持部２１に支持された状態で、孔２２ａ，２２ｂ，２２ｃのいずれかの部分を介してパッド３００とコード４００が接続可能な状態となる。なお、本実施例においては、最も先端側の孔２２ａの部分を介して、パッド３００とコード４００とをスナップにより接続させている。そして、その他の孔２２ｂ，２２ｃの部分においては、貼り付け補助具２０に対してパッド３００を取り付けることのみを目的とした凹型スナップ５０１，５０２により留めるようにしている。
【００６９】
また、本実施例においては、スナップにより接続されたパッド３００とコード４００との接続部付近が、孔２２ａの周囲の板状部分に嵌合する嵌合部を形成する。そして、この嵌合部が孔２２ａの周囲の板状部分に嵌合することによって、パッド３００とコード４００は貼り付け補助具２０に保持される。パッド３００とコード４００との接続部付近が嵌合部を形成する構造については、特に限定されるものではなく、各種の構造を採用し得ることに関しては、実施例１において説明した通りである。
【００７０】
＜貼り付け補助具の使用方法＞
図２１を参照して、本実施例に係る貼り付け補助具２０の使用方法を説明する。図２１は本発明の実施例２に係る貼り付け補助具を使用した様子を示す斜視図である。
【００７１】
貼り付け補助具２０にパッド３００とコード４００を保持させて、パッド３００を所望の治療部位に貼り付けるまでの動作に関しては、上記実施例１の場合と同様であるので、その説明は省略する。
【００７２】
本実施例においては、連通部を孔により構成しているため、パッド３００とコード４００を接続させたまま、貼り付け補助具２０を引き抜くことはできない。しかしながら、本実施例の場合には、上記の通り、貼り付け補助具２０はＵ字状に大きく湾曲した形状となっており、例えば図２１に示すように、パッド３００を肩甲骨の辺りに貼り付けるようにすると、貼り付け補助具２０自体が肩を挟み込むようにして治療者の身体に装着される。従って、貼り付け補助具２０から手を離しても、貼り付け補助具２０の位置がずれてしまうことなく貼り付け補助具２０を肩に装着させた状態で低周波治療を行うことができる。特に図示はしないが、肩に限らず腰の当たりなど、治療部位に応じて、様々な部分に貼り付け補助具を装着することも可能である。
【００７３】
＜パッドの保管＞
図２２及び図２３を参照して、本発明の実施例２に係るパッド３００の保管方法について説明する。図２２は本発明の実施例２に係るパッドの貼り付け補助具にパッドを保管する様子を示す平面図である。図２３は本発明の実施例２に係るパッドの貼り付け補助具にパッドを保管する様子を示す斜視図である。
【００７４】
低周波治療を終えたら、貼り付け補助具２０の保護部２５に、パッド３００を貼り付ける。このとき、各スナップは留めたままにしておくのが望ましい。そして、貼り付け補助具２０とパッド３００を重ねるように、かつ一対の凹部２６の部分を通るように、コード
４００を巻き付ける。なお、本実施例の場合には、スナップを留めたまま、パッド３００を支持部２１から取り外すことはできないので、保管する場合には、一旦スナップを外す必要がある。
【００７５】
＜本実施例の優れた点＞
本実施例では、治療中に貼り付け補助具２０を取り外すことができないものの、貼り付け補助具２０を胴体に装着できるので、貼り付け補助具２０の位置ずれをより確実に防止できる。また、貼り付け補助具２０によって、パッド３００が治療部位に押し付けられることから、パッド３００が治療中に剥がれてしまうことをより確実に防止できる。また、パッド３００の粘着力が経時劣化により低下してしまっていても使用することができるという利点もある。その他については、上記実施例１の場合と同様の効果を得ることができる。
【００７６】
（実施例３）
図２４〜図２８には、本発明の実施例３が示されている。本実施例は、上記実施例１の変形例である。すなわち、上記実施例１においては、貼り付け補助具１０の支持部１１にパッド３００を支持させた際に、パッド３００の形状を安定化させるために、３箇所にスナップを留める場合を示した。しかしながら、このような構成の場合には、消耗部品であるパッド３００の構造が複雑となり、コストが高くなってしまう。また、貼り付け補助具１０に対してパッド３００を取り付けることのみを目的とした凹型スナップ５０１，５０２をなくしてしまい易いという懸念もある。そこで、本実施例においては、１箇所にスナップを留めただけでも、パッドの形状を安定化させることを可能とする構成を示す。その他の基本的な構成および作用については実施例１と同一なので、同一の構成部分については、適宜、その説明は省略する。
【００７７】
図２４は本発明の実施例３に係るパッドの貼り付け補助具の平面図である。図２５は本発明の実施例３に係るパッドの貼り付け補助具の斜視図である。図２６は本発明の実施例３に係る貼り付け補助具にパッドとコードが取り付けられた様子を示す上方側から見た斜視図である。図２７は本発明の実施例３に係る貼り付け補助具にパッドとコードが取り付けられた様子を示す下方側から見た斜視図である。図２８は本発明の実施例３に係るパッドの貼り付け補助具にパッドを保管する様子を示す斜視図である。
【００７８】
本実施例に係る貼り付け補助具３０も、基本的な構成は、実施例１に係る貼り付け補助具１０と同一である。すなわち、本実施例に係る貼り付け補助具３０も、実施例１に係る貼り付け補助具１０と同様に、支持部３１，連通部としての切欠３２，把持部３３，位置決め孔３４，保護部３５及び一対の凹部３６を備えている。
【００７９】
本実施例に係る貼り付け補助具３０は、切欠３２の長さが貼り付け補助具１０の切欠１２の長さに比べて短いことと、幅方向に長い貫通孔３２ａが設けられていることのみが、実施例１に係る貼り付け補助具１０と異なっている。また、本実施例におけるパッド３００ａは、１箇所にのみ凸型スナップが設けられている。
【００８０】
本実施例においては、図２６に示すように、パッド３００ａの一方の端部付近に設けられている凸型スナップに対して、コード４００に設けられた凹型スナップ４０２（４０３）を留める。そして、パッド３００ａの他方の端部３１０を貫通孔３２ａに差し込む。これにより、１箇所にスナップを留めただけでも、パッド３００ａを貼り付け補助具３０の支持部３１に支持させた状態で、パッド３００ａの形状を安定化させることができる。
【００８１】
以上のように、本実施例によれば、上記実施例１と同様の効果が得られ、更に、パッド３００ａの構造を実施例１の場合に比べて簡素化できるという利点がある。
【００８２】
（実施例４）
図２９〜図３４には、本発明の実施例４が示されている。本実施例は、上記実施例２の変形例である。すなわち、上記実施例２においては、貼り付け補助具２０の支持部２１にパッド３００を支持させた際に、パッド３００の形状を安定化させるために、３箇所にスナップを留める場合を示した。しかしながら、このような構成の場合には、上記実施例３でも説明した通り、消耗部品であるパッド３００の構造が複雑となり、コストが高くなってしまう。また、貼り付け補助具２０に対してパッド３００を取り付けることのみを目的とした凹型スナップ５０１，５０２をなくしてしまい易いという懸念もある。そこで、本実施例においては、１箇所にスナップを留めただけでも、パッドの形状を安定化させることを可能とする構成を示す。その他の基本的な構成および作用については実施例２と同一なので、同一の構成部分については、適宜、その説明は省略する。
【００８３】
図２９は本発明の実施例４に係るパッドの貼り付け補助具の平面図である。図３０は本発明の実施例４に係るパッドの貼り付け補助具の斜視図である。図３１は本発明の実施例４に係るパッドの貼り付け補助具の側面図である。図３２は本発明の実施例４に係る貼り付け補助具にパッドとコードが取り付けられた様子を示す上方側から見た斜視図である。図３３は本発明の実施例４に係る貼り付け補助具にパッドとコードが取り付けられた様子を示す下方側から見た斜視図である。図３４は本発明の実施例４に係るパッドの貼り付け補助具にパッドを保管する様子を示す斜視図である。
【００８４】
本実施例に係る貼り付け補助具４０も、基本的な構成は、実施例２に係る貼り付け補助具２０と同一である。すなわち、本実施例に係る貼り付け補助具４０も、実施例２に係る貼り付け補助具２０と同様に、支持部４１，連通部としての孔４２，把持部４３，位置決め孔４４，保護部４５及び一対の凹部４６を備えている。
【００８５】
本実施例に係る貼り付け補助具４０は、孔４２が１箇所にのみ設けられていることと、幅方向に長い貫通孔４２ａが設けられていることのみが、実施例２に係る貼り付け補助具２０と異なっている。また、本実施例におけるパッド３００ａは、１箇所にのみ凸型スナップが設けられている。
【００８６】
本実施例においては、図３２に示すように、パッド３００ａの一方の端部付近に設けられている凸型スナップに対して、コード４００に設けられた凹型スナップ４０２（４０３）を留める。そして、パッド３００ａの他方の端部３１０を貫通孔４２ａに差し込む。これにより、１箇所にスナップを留めただけでも、パッド３００ａを貼り付け補助具４０の支持部４１に支持させた状態で、パッド３００ａの形状を安定化させることができる。
【００８７】
以上のように、本実施例によれば、上記実施例２と同様の効果が得られ、更に、パッド３００ａの構造を実施例２の場合に比べて簡素化できるという利点がある。
【００８８】
なお、実施例３，４において示したパッド３００ａの端部３１０の部分は、未使用の新品のものに貼り付けられている保護シートを剥がす際において、剥がし始めの部分に相当する。すなわち、保護シートを剥がし易くするために、パッド３００ａの端部３１０は、パッド本体の部分から少し突出した形状で構成されている。また、この端部３１０の部分だけは、保護シートを剥がし易くするために、粘着性を持たせていない。これにより、この端部３１０を簡単に貫通孔３２ａまたは貫通孔４２ａに差し込むことができる。
【００８９】
上述した実施例１〜実施例４においては、パッド側に凸型スナップを設けて、コード側に凹型スナップを設ける場合を説明したが、パッド側に凹型スナップを設けて、コード側に凸型スナップを設けるようにしても良い。
【図面の簡単な説明】
【００９０】
【図１】図１は本発明の実施例１に係る低周波治療器の外観を示す斜視図である。
【図２】図２は本発明の実施例１に係るパッドの貼り付け補助具の平面図である。
【図３】図３は本発明の実施例１に係るパッドの貼り付け補助具の斜視図である。
【図４】図４はパッドにコードが接続された様子を示す斜視図である。
【図５】図５は本発明の実施例１に係る貼り付け補助具にパッドとコードが取り付けられた様子を示す平面図である。
【図６】図６は本発明の実施例１に係る貼り付け補助具にパッドとコードが取り付けられた様子を示す上方側から見た斜視図である。
【図７】図７は本発明の実施例１に係る貼り付け補助具にパッドとコードが取り付けられた様子を示す下方側から見た斜視図である。
【図８】図８は本発明の実施例１に係る貼り付け補助具にパッドとコードが取り付けられた様子（具体例１）を示す模式的断面図である。
【図９】図９は本発明の実施例１に係る貼り付け補助具にパッドとコードが取り付けられた様子（具体例２）を示す模式的断面図である。
【図１０】図１０は本発明の実施例１に係る貼り付け補助具にパッドとコードを取り付ける様子を示す斜視図である。
【図１１】図１１は本発明の実施例１に係る貼り付け補助具を用いてパッドを治療部位に貼り付ける様子を示す斜視図である。
【図１２】図１２は本発明の実施例１に係る貼り付け補助具を用いてパッドを治療部位に貼り付けた後に貼り付け補助具をパッドから引き抜く様子を示す斜視図である。
【図１３】図１３は本発明の実施例１に係るパッドの貼り付け補助具にパッドを保管する様子を示す平面図である。
【図１４】図１４は本発明の実施例１に係るパッドの貼り付け補助具にパッドを保管する様子を示す斜視図である。
【図１５】図１５は本発明の実施例２に係るパッドの貼り付け補助具の平面図である。
【図１６】図１６は本発明の実施例２に係るパッドの貼り付け補助具の斜視図である。
【図１７】図１７は本発明の実施例２に係るパッドの貼り付け補助具の側面図である。
【図１８】図１８は本発明の実施例２に係る貼り付け補助具にパッドとコードが取り付けられた様子を示す平面図である。
【図１９】図１９は本発明の実施例２に係る貼り付け補助具にパッドとコードが取り付けられた様子を示す上方側から見た斜視図である。
【図２０】図２０は本発明の実施例２に係る貼り付け補助具にパッドとコードが取り付けられた様子を示す下方側から見た斜視図である。
【図２１】図２１は本発明の実施例２に係る貼り付け補助具を使用した様子を示す斜視図である。
【図２２】図２２は本発明の実施例２に係るパッドの貼り付け補助具にパッドを保管する様子を示す平面図である。
【図２３】図２３は本発明の実施例２に係るパッドの貼り付け補助具にパッドを保管する様子を示す斜視図である。
【図２４】図２４は本発明の実施例３に係るパッドの貼り付け補助具の平面図である。
【図２５】図２５は本発明の実施例３に係るパッドの貼り付け補助具の斜視図である。
【図２６】図２６は本発明の実施例３に係る貼り付け補助具にパッドとコードが取り付けられた様子を示す上方側から見た斜視図である。
【図２７】図２７は本発明の実施例３に係る貼り付け補助具にパッドとコードが取り付けられた様子を示す下方側から見た斜視図である。
【図２８】図２８は本発明の実施例３に係るパッドの貼り付け補助具にパッドを保管する様子を示す斜視図である。
【図２９】図２９は本発明の実施例４に係るパッドの貼り付け補助具の平面図である。
【図３０】図３０は本発明の実施例４に係るパッドの貼り付け補助具の斜視図である。
【図３１】図３１は本発明の実施例４に係るパッドの貼り付け補助具の側面図である。
【図３２】図３２は本発明の実施例４に係る貼り付け補助具にパッドとコードが取り付けられた様子を示す上方側から見た斜視図である。
【図３３】図３３は本発明の実施例４に係る貼り付け補助具にパッドとコードが取り付けられた様子を示す下方側から見た斜視図である。
【図３４】図３４は本発明の実施例４に係るパッドの貼り付け補助具にパッドを保管する様子を示す斜視図である。
【符号の説明】
【００９１】
１０，２０，３０，４０  貼り付け補助具
１１，２１，３１，４１  支持部
１２，３２  切欠
１３，２３，３３，４３  把持部
１４，２４，３４，４４  位置決め孔
１４ａ，１４ｂ  凸部
１５，２５，３５，４５  保護部
１６，２６，３６，４６  凹部
２２ａ，２２ｂ，２２ｃ，４２  孔
２５  保護部
３２ａ，４２ａ  貫通孔
１００  低周波治療器
２００  治療器本体
２０１  ボタン
２０２  表示部
３００，３００ａ  パッド
３０１，３０２  凸型スナップ
３０２ａ  円筒部
３０２ｂ  突出部
３１０  端部
４００  コード
４０１  プラグ
４０２，４０３  凹型スナップ
４０２ａ  小径部
４０２ｂ  大径部
５０１，５０２  凹型スナップ
【図１】
2008012190.tif 000003
【図２】
2008012190.tif 000004
【図３】
2008012190.tif 000005
【図４】
2008012190.tif 000006
【図５】
2008012190.tif 000007
【図６】
2008012190.tif 000008
【図７】
2008012190.tif 000009
【図８】
2008012190.tif 000010
【図９】
2008012190.tif 000011
【図１０】
2008012190.tif 000012
【図１１】
2008012190.tif 000013
【図１２】
2008012190.tif 000014
【図１３】
2008012190.tif 000015
【図１４】
2008012190.tif 000016
【図１５】
2008012190.tif 000017
【図１６】
2008012190.tif 000018
【図１７】
2008012190.tif 000019
【図１８】
2008012190.tif 000020
【図１９】
2008012190.tif 000021
【図２０】
2008012190.tif 000022
【図２１】
2008012190.tif 000023
【図２２】
2008012190.tif 000024
【図２３】
2008012190.tif 000025
【図２４】
2008012190.tif 000026
【図２５】
2008012190.tif 000027
【図２６】
2008012190.tif 000028
【図２７】
2008012190.tif 000029
【図２８】
2008012190.tif 000030
【図２９】
2008012190.tif 000031
【図３０】
2008012190.tif 000032
【図３１】
2008012190.tif 000033
【図３２】
2008012190.tif 000034
【図３３】
2008012190.tif 000035
【図３４】
2008012190.tif 000036